(57)【要約】【課題】  第２カバーを第１カバーに対して容易に接続したり切り離したりすることが可能な錠前カバーを提供する。【解決手段】  本発明の錠前カバーは、錠前の外周面を覆う第１カバーと、錠前の表面の少なくとも一部を覆う第２カバーと、第１カバーと第２カバーを接続するストラップ１４と、を備えた錠前カバーであって、第１カバー又は第２カバーの少なくとも一方は、挿入穴３０を有するストラップ取付部２９を備え、ストラップ１４は、挿入穴３０の幅以下の幅を有する第１挿入部３１と、ストラップ１４の挿入穴３０への挿入方向において第１挿入部３１の基端側に形成され、挿入穴３０の幅よりも大きな幅を有し、挿入穴３０の幅以下の幅まで弾性変形可能な第２挿入部３２と、ストラップ１４の挿入穴３０への挿入方向において第２挿入部３２の基端側に形成され、挿入穴３０の幅以下の幅を有する第３挿入部３３と、を備えていることを特徴とする。【選択図】図６
2015078592.tif 000002
【特許請求の範囲】
【請求項１】
錠前の外周面の少なくとも一部を覆う第１カバーと、前記錠前の表面の少なくとも一部を覆う第２カバーと、前記第１カバーと前記第２カバーを接続するストラップと、を備えた錠前カバーであって、
前記第１カバー又は前記第２カバーの少なくとも一方は、前記ストラップを挿入可能な挿入穴を有するストラップ取付部を備え、
前記ストラップは、
前記挿入穴の幅以下の幅を有する第１挿入部と、
前記ストラップの前記挿入穴への挿入方向において前記第１挿入部の基端側に形成され、前記挿入穴の幅よりも大きな幅を有し、前記挿入穴の幅以下の幅まで弾性変形可能な第２挿入部と、
前記ストラップの前記挿入穴への挿入方向において前記第２挿入部の基端側に形成され、前記挿入穴の幅以下の幅を有する第３挿入部と、を備えていることを特徴とする錠前カバー。
【請求項２】
前記第２挿入部の幅方向外側の縁部には、前記ストラップの前記挿入穴への挿入方向基端側に向かって拡幅する拡幅部が設けられ、
前記第１挿入部を前記挿入穴に挿入した状態で前記ストラップの前記挿入穴への挿入方向先端側に向かって前記第１挿入部を引っ張ると、前記挿入穴の周囲の前記ストラップ取付部に対して前記拡幅部を摺動させながら前記第２挿入部が前記挿入穴の幅以下の幅まで弾性変形することを特徴とする請求項１に記載の錠前カバー。
【請求項３】
前記ストラップは、合成樹脂によって形成され、
前記第２挿入部の幅方向外側の縁部には、前記ストラップの前記挿入穴への挿入方向基端側に向かって拡幅する拡幅部が設けられ、
前記第１挿入部を前記挿入穴に挿入した状態で前記第２挿入部を幅方向内側に向かって押しながら前記ストラップの前記挿入穴への挿入方向先端側に向かって押し込むと、前記挿入穴の周囲の前記ストラップ取付部に対して前記拡幅部を摺動させながら前記第２挿入部が前記挿入穴の幅以下の幅まで弾性変形することを特徴とする請求項１に記載の錠前カバー。
【請求項４】
前記ストラップには、前記ストラップの前記挿入穴への挿入方向において前記第３挿入部の基端側に、前記挿入穴の幅よりも大きな幅を有する係止部が設けられ、
前記第２挿入部には、前記ストラップの前記挿入穴への挿入方向において前記拡幅部の基端側に、前記ストラップの前記挿入穴への挿入方向と交差する方向に沿って抜け止め部が設けられ、
前記ストラップ取付部は、前記係止部と当接する第１の位置から前記抜け止め部と当接する第２の位置まで前記ストラップに対してスライド可能に設けられていることを特徴とする請求項２又は３に記載の錠前カバー。
【請求項５】
前記第２挿入部には、貫通穴が厚み方向に設けられていることを特徴とする請求項１〜４のいずれか１項に記載の錠前カバー。
【発明の詳細な説明】
【技術分野】
【０００１】
本発明は、錠前を保護するための錠前カバーに関する。
【背景技術】
【０００２】
従来、扉の室内外の壁面等には、錠前（例えば、シリンダー錠）が取り付けられている。上記の錠前は施解錠機構に接続されており、例えば、錠前の鍵穴に挿入された合鍵が回転操作されると、施解錠機構が作動して、扉の施錠と解錠が切り替わるようになっている。
【０００３】
上記の錠前は、不正解錠やいたずら等を防止するために、錠前カバーによって保護される場合がある。例えば、特許文献１には、錠前（特許文献１の「扉錠１００」参照）の外周面の一部を覆う第１カバー（特許文献１の「ベース部材１１」参照）と、錠前の表面の一部を覆う第２カバー（特許文献１の「キャップ部材１３」参照）と、第１カバーと第２カバーを接続する軸部材と、を備えた錠前カバーが開示されている。
【先行技術文献】
【特許文献】
【０００４】
【特許文献１】特開２０１１−２０２４８５号公報
【発明の概要】
【発明が解決しようとする課題】
【０００５】
上記の従来技術においては、軸部材の一端が第２カバーに固定されると共に、バネ部材やワッシャやストッパを用いた接続機構によって軸部材の他端側が第１カバーに接続されている。そのため、第１カバー又は第２カバーに対して軸部材を容易に着脱することができず、必要に応じて第２カバーを第１カバーに対して容易に接続したり切り離したりすることもできない。
【０００６】
本発明は、上記の事情を考慮し、第２カバーを第１カバーに対して容易に接続したり切り離したりすることが可能な錠前カバーを提供することを目的とする。
【課題を解決するための手段】
【０００７】
本発明の錠前カバーは、錠前の外周面の少なくとも一部を覆う第１カバーと、前記錠前の表面の少なくとも一部を覆う第２カバーと、前記第１カバーと前記第２カバーを接続するストラップと、を備えた錠前カバーであって、前記第１カバー又は前記第２カバーの少なくとも一方は、前記ストラップを挿入可能な挿入穴を有するストラップ取付部を備え、前記ストラップは、前記挿入穴の幅以下の幅を有する第１挿入部と、前記ストラップの前記挿入穴への挿入方向において前記第１挿入部の基端側に形成され、前記挿入穴の幅よりも大きな幅を有し、前記挿入穴の幅以下の幅まで弾性変形可能な第２挿入部と、前記ストラップの前記挿入穴への挿入方向において前記第２挿入部の基端側に形成され、前記挿入穴の幅以下の幅を有する第３挿入部と、を備えていることを特徴とする。
【０００８】
このような構成を採用することにより、第２挿入部を挿入穴の幅以下の幅まで弾性変形させて挿入穴を通過させることで、第１カバー又は第２カバーに対してストラップを容易に着脱することができる。そのため、必要に応じて第２カバーを第１カバーに対して容易に接続したり切り離したりすることが可能となる。
【０００９】
前記第２挿入部の幅方向外側の縁部には、前記ストラップの前記挿入穴への挿入方向基端側に向かって拡幅する拡幅部が設けられ、前記第１挿入部を前記挿入穴に挿入した状態で前記ストラップの前記挿入穴への挿入方向先端側に向かって前記第１挿入部を引っ張ると、前記挿入穴の周囲の前記ストラップ取付部に対して前記拡幅部を摺動させながら前記第２挿入部が前記挿入穴の幅以下の幅まで弾性変形しても良い。
【００１０】
このような構成を採用することにより、第１挿入部を挿入穴に挿入して第１挿入部を引っ張るだけの簡単な作業によって、第１カバー又は第２カバーに対してストラップを容易に取り付けることが可能となる。
【００１１】
前記ストラップは、合成樹脂によって形成され、前記第２挿入部の幅方向外側の縁部には、前記ストラップの前記挿入穴への挿入方向基端側に向かって拡幅する拡幅部が設けられ、前記第１挿入部を前記挿入穴に挿入した状態で前記第２挿入部を幅方向内側に向かって押しながら前記ストラップの前記挿入穴への挿入方向先端側に向かって押し込むと、前記挿入穴の周囲の前記ストラップ取付部に対して前記拡幅部を摺動させながら前記第２挿入部が前記挿入穴の幅以下の幅まで弾性変形しても良い。
【００１２】
上記のようにストラップが合成樹脂によって形成されることで、例えばストラップがゴムによって形成される場合と比較して、ストラップの剛性を高めることが可能となる。これに伴って、ストラップの第２挿入部がストラップ取付部の挿入穴を不用意に通過するのを抑制することが可能となる。これに伴って、第１カバー又は第２カバーに対するストラップの取り付け／取り外しを作業者の意思に基づいて行うことが可能となる。
【００１３】
また、上記のようにストラップが合成樹脂によって形成されることで、例えばストラップがゴムによって形成される場合と比較して、ストラップの強度を高めることが可能となる。これに伴って、ストラップの経時的な劣化を抑制することが可能となる。
【００１４】
更に、上記のように第２挿入部を幅方向内側に向かって押しながらストラップの挿入穴への挿入方向先端側に向かって押し込むことで、合成樹脂によって形成されるストラップの反発力を利用して、第１カバー又は第２カバーに対してストラップを容易に取り付けることが可能となる。
【００１５】
前記ストラップには、前記ストラップの前記挿入穴への挿入方向において前記第３挿入部の基端側に、前記挿入穴の幅よりも大きな幅を有する係止部が設けられ、前記第２挿入部には、前記ストラップの前記挿入穴への挿入方向において前記拡幅部の基端側に、前記ストラップの前記挿入穴への挿入方向と交差する方向に沿って抜け止め部が設けられ、前記ストラップ取付部は、前記係止部と当接する第１の位置から前記抜け止め部と当接する第２の位置まで前記ストラップに対してスライド可能に設けられていても良い。
【００１６】
このような構成を採用することで、ストラップの有効長さ（第１カバーに取り付けられる部分から第２カバーに取り付けられる部分までの長さ）を調節することが可能となる。これに伴って、例えば、第１カバーに第２カバーが取り付けられている場合には、ストラップの有効長さを短くすることで、錠前カバー内の所定のスペースにストラップを容易に収納することが可能となる。一方で、第１カバーから第２カバーが取り外されている場合には、ストラップの有効長さを長くすることで、第１カバーと第２カバーを極力離間させることができる。これに伴って、第１カバー又は第２カバーに対するストラップの取り付け／取り外しや錠前を用いて行う扉の施解錠を行いやすくなる。
【００１７】
前記第２挿入部には、貫通穴が厚み方向に設けられていても良い。
【００１８】
このような構成を採用することにより、第２挿入部を弾性変形させやすくなり、第１カバー又は第２カバーに対してストラップを一層容易に着脱することが可能となる。
【発明の効果】
【００１９】
本発明によれば、第２カバーを第１カバーに対して容易に接続したり切り離したりすることが可能となる。
【図面の簡単な説明】
【００２０】
【図１】本発明の第１の実施形態に係るハンドル装置を示す側断面図である。
【図２】本発明の第１の実施形態に係るハンドル装置の上側部分を示す側断面図である。
【図３】（ａ）は、本発明の第１の実施形態に係るハンドル装置において、ハンドルの上側の台座の第１カバーを示す側断面図である。（ｂ）は、同背面図である。
【図４】（ａ）は、本発明の第１の実施形態に係るハンドル装置において、ハンドルの上側の台座の第２カバーを示す側断面図である。（ｂ）は、同背面図である。
【図５】（ａ）は、本発明の第１の実施形態に係るハンドル装置において、ハンドルの上側の台座のストラップを示す正面図である。（ｂ）は、同側面図である。
【図６】（ａ）は、本発明の第１の実施形態に係るハンドル装置において、ストラップの第１挿入部がストラップ取付部の挿入穴に挿入されている状態を示す説明図である。（ｂ）は、本発明の第１の実施形態に係るハンドル装置において、ストラップの第２挿入部がストラップ取付部の挿入穴に挿入されている状態を示す説明図である。（ｃ）は、本発明の第１の実施形態に係るハンドル装置において、ストラップの第３挿入部がストラップ取付部の挿入穴に挿入されている状態を示す説明図である。
【図７】（ａ）は、本発明の第２の実施形態に係るハンドル装置において、ストラップを示す正面図である。（ｂ）は、（ａ）のＡ−Ａ断面図である。
【図８】本発明の第２の実施形態に係るハンドル装置において、ストラップを示す斜視図である。
【図９】（ａ）は、本発明の第２の実施形態に係るハンドル装置において、ストラップの第１挿入部がストラップ取付部の挿入穴に挿入されている状態を示す説明図である。（ｂ）は、本発明の第２の実施形態に係るハンドル装置において、ストラップの第２挿入部がストラップ取付部の挿入穴の幅以下の幅まで弾性変形した状態を示す説明図である。（ｃ）は、本発明の第２の実施形態に係るハンドル装置において、ストラップの第２挿入部がストラップ取付部の挿入穴の幅よりも大きな幅に弾性復帰した状態を示す説明図である。
【図１０】（ａ）は、本発明の第２の実施形態に係るハンドル装置において、ストラップ取付部が第１の位置にある状態を示す説明図である。（ｂ）は、本発明の第２の実施形態に係るハンドル装置において、ストラップ取付部が第２の位置にある状態を示す説明図である。（ｃ）は、本発明の第２の実施形態に係るハンドル装置において、ストラップ取付部が第３の位置にある状態を示す説明図である。
【発明を実施するための形態】
【００２１】
（第１の実施形態）
以下、図１〜図６に基づいて、本発明の第１の実施形態に係るハンドル装置１について説明する。以下、説明の便のため、図１における左側をハンドル装置１の前側とし、図１における右側をハンドル装置１の後側とする。各図に適宜付される矢印Ｆｒは、ハンドル装置１の前側を示している。
【００２２】
図１に示されるように、ハンドル装置１は、扉２の外壁面３（室外側の壁面）に設けられている。ハンドル装置１は、扉２の外壁面３に埋設される上下一対のシリンダー錠４（錠前）と、扉２の外壁面３に固定され、上側のシリンダー錠４の上方から下側のシリンダー錠４の下方に亘って配置されるハンドル５と、ハンドル５の上部に保持される作動機構６と、ハンドル５の上部に内装されるカードリーダー７（通信機器）を有する通信ユニット８と、を主体として構成されている。
【００２３】
まず、各シリンダー錠４について説明する。各シリンダー錠４は、前後方向に延びる鍵穴９を備えている。各シリンダー錠４の表面には、鍵穴９の前端部が露出している。各シリンダー錠４は、施解錠機構（図示せず）に接続されており、鍵穴９に挿入された合鍵（図示せず）が回転操作されると、施解錠機構が作動して、扉２の施錠と解錠が切り替わるようになっている。
【００２４】
次に、ハンドル５について説明する。ハンドル５は、上下方向に細長い形状を成している。つまり、本実施形態では、上下方向がハンドル５の長手方向である。ハンドル５は、扉２の外壁面３に固定される上下一対の台座１０（錠前カバー）と、上下一対の台座１０を連結するグリップ１１と、を備えている。
【００２５】
図２に示されるように、ハンドル５の上側の台座１０は、扉２の外壁面３に沿って上下方向に延びる第１カバー１２と、第１カバー１２の上部の前方に配置される第２カバー１３と、第１カバー１２と第２カバー１３を接続するストラップ１４と、を主体として構成されている。
【００２６】
図３（ａ）及び図３（ｂ）に示されるように、第１カバー１２の上端部には上方係合部１５が設けられ、第１カバー１２の上下方向略中央部には左右一対の下方係合部１６が設けられている。第１カバー１２には、上方係合部１５の下方に円筒状の錠前保持部１７が設けられている。錠前保持部１７は、上側のシリンダー錠４の外周面の前後方向中央部を覆っている（図２参照）。
【００２７】
図３（ａ）及び図３（ｂ）に示されるように、第１カバー１２には、錠前保持部１７の下方に四角筒状のストラップ保持部１８が設けられている。ストラップ保持部１８の後上隅部には、係合部２０が設けられている。ストラップ保持部１８の表面側には、挿入開口部２１が形成されている。ストラップ保持部１８には、係合部２０の両側に当接壁部１９が形成されている。
【００２８】
第１カバー１２の下部には、ラッチバー保持部２２が設けられている。図２に示されるように、ラッチバー保持部２２の後端部は、扉２を貫通する上下一対の取付柱２３を介して、扉２の内壁面２４（室内側の壁面）に設けられた室内側ハンドル２５（図２において一部のみを表示）に連結されている。第１カバー１２の後端面と扉２の外壁面３の間には、ゴム製のシート２６が介装されている。
【００２９】
図４（ａ）及び図４（ｂ）に示されるように、第２カバー１３の上端部には上方フック２７が設けられ、第２カバー１３の下端部には左右一対の下方フック２８が設けられている。そして、上方フック２７を第１カバー１２の上方係合部１５に係合させると共に各下方フック２８を第１カバー１２の各下方係合部１６に係合させることで、第２カバー１３が第１カバー１２に着脱可能に取り付けられている（図２参照）。
【００３０】
第２カバー１３の上部は、上側のシリンダー錠４の表面の全部を覆っている。図４（ａ）及び図４（ｂ）に示されるように、第２カバー１３の下部には、後方に向かって突出するストラップ取付部２９が設けられている。ストラップ取付部２９には、挿入穴３０が上下方向に設けられている。挿入穴３０は、所定の幅Ｗを有している。ストラップ取付部２９の後部は、第２カバー１３を第１カバー１２に取り付けた状態で、第１カバー１２のストラップ保持部１８に設けられた挿入開口部２１に挿入されている（図２参照）。
【００３１】
ストラップ１４は、ゴムなどの弾性材料によって形成されている。ストラップ１４は、第１カバー１２のストラップ保持部１８に保持されている。なお、図５及び図６の矢印Ａは、第２カバー１３のストラップ取付部２９に設けられた挿入穴３０へのストラップ１４の挿入方向を示している。以下、これを「挿入方向Ａ」と称する。
【００３２】
図５（ａ）及び図５（ｂ）に示されるように、ストラップ１４は、第１挿入部３１と、挿入方向Ａにおいて第１挿入部３１の基端側に形成される第２挿入部３２と、挿入方向Ａにおいて第２挿入部３２の基端側に形成される第３挿入部３３と、挿入方向Ａにおいて第３挿入部３３の基端側に形成される本体部３４と、を備えている。なお、図５（ａ）の矢印Ｌは、ストラップ１４の有効長さ（第１カバー１２に取り付けられる部分から第２カバー１３に取り付けられる部分までの長さ）を示している。
【００３３】
図５（ａ）に示されるように、第１挿入部３１は、挿入穴３０の幅Ｗよりも小さな幅を有している。第１挿入部３１は、挿入方向Ａにおける基端側部分から先端側部分まで同一幅で形成されている。
【００３４】
第２挿入部３２は、挿入穴３０の幅Ｗよりも大きな幅を有している。第２挿入部３２の幅方向外側の縁部には、拡幅部３６が設けられている。拡幅部３６は、挿入方向Ａにおける基端側に向かって次第に拡幅している。拡幅部３６は、直線状に形成されている。
【００３５】
第２挿入部３２の幅方向外側の縁部には、挿入方向Ａにおける拡幅部３６の基端側に、縮幅部３７が設けられている。縮幅部３７は、挿入方向Ａにおける基端側に向かって次第に縮幅している。縮幅部３７は、第２挿入部３２の幅方向外側に向かって凸となるように円弧状に湾曲している。
【００３６】
第２挿入部３２には、貫通穴３５が厚み方向に設けられている。貫通穴３５の挿入方向Ａにおける先端側の部分は、拡幅部３６の形状に対応しており、挿入方向Ａにおける基端側に向かって次第に拡幅している。貫通穴３５の挿入方向Ａにおける基端側の部分は、縮幅部３７の形状に対応しており、挿入方向Ａにおける基端側に向かって次第に縮幅している。
【００３７】
第３挿入部３３は、挿入穴３０の幅Ｗよりも小さな幅を有している。第３挿入部３３は、挿入方向Ａにおける基端側部分から先端側部分まで同一幅で形成されている。
【００３８】
本体部３４は、挿入穴３０の幅Ｗよりも大きな幅を有している。本体部３４は、挿入方向Ａにおける基端側部分から先端側部分まで同一幅で形成されている。本体部３４の挿入方向Ａにおける基端側の端部には、取付穴３８が形成されている。図２に示されるように、取付穴３８には、第１カバー１２の係合部２０が係合している。これにより、第１カバー１２にストラップ１４が取り付けられている。
【００３９】
図１に示されるように、ハンドル５の下側の台座１０は、ハンドル５の上側の台座１０と略上下対称形状を成している。ハンドル５の下側の台座１０については説明を省略する。
【００４０】
図１に示されるように、ハンドル５のグリップ１１は、僅かに前方に湾曲しながら上下方向に延びている。ハンドル５のグリップ１１は、裏カバー４０と、裏カバー４０の前方に配置される表カバー４１と、裏カバー４０及び表カバー４１の上部の左右両側に配置される一対のサイドウォール４２（図１では、左側のサイドウォール４２のみ表示）と、を備えている。裏カバー４０と表カバー４１の間には、収容空間４３が形成されている。
【００４１】
裏カバー４０は、アルミニウム等の金属によって形成されている。図２に示されるように、裏カバー４０は、裏板部４４と、裏板部４４の左右両側から前方に向かって延びる側板部４５と、を備えている。
【００４２】
裏板部４４は、カードリーダー７の裏面を覆っている。図１に示されるように、裏板部４４の上部には後方に向かって突出する上側突片４６が設けられ、裏板部４４の下部には後方に向かって突出する下側突片４７が設けられている。下側突片４７は、揺動軸部４８を介して下側の台座１０に取り付けられている。これにより、グリップ１１が揺動軸部４８を支点に揺動可能となっている。裏板部４４の下部には、ハーネス挿通穴５０が設けられている。
【００４３】
表カバー４１は、ポリカーボネート等の樹脂によって形成されている。図２に示されるように、表カバー４１は、本体部５２と、本体部５２の左右両側から後方に向かって延びる固定部５３と、を備えている。
【００４４】
図１に示されるように、本体部５２の上端部と下端部は、それぞれ取付ネジ５４によって裏カバー４０の裏板部４４の上端部と下端部に取り付けられている。これにより、裏カバー４０に表カバー４１が固定されている。
【００４５】
図２に示されるように、本体部５２は、カードリーダー７の表面を覆っている。本体部５２の裏面には、上下方向中央部よりも上方の部分に、支持フック５５が突設されている。本体部５２の裏面の上下方向中央部には、四角筒状のガイド固定部５６が突設されている。ガイド固定部５６は、第１嵌合部５７と、本体部５２の裏面と第１嵌合部５７の間に形成される第２嵌合部５８と、を備えている。第２嵌合部５８は第１嵌合部５７よりも上下幅及び左右幅が小さい。
【００４６】
各サイドウォール４２は、ＡＳＡ等の樹脂によって形成されている。各サイドウォール４２は、表カバー４１とは異なる種類の樹脂によって形成されている。各サイドウォール４２は、カードリーダー７の左右両側面の後部を覆っている。各サイドウォール４２は、上下方向に長い形状を成している。
【００４７】
次に、作動機構６について説明する。図２に示されるように、作動機構６は、ラッチバー６４と、ラッチバー６４の片側に設けられるねじりコイルバネ６５と、を備えている。
【００４８】
ラッチバー６４は、上側の台座１０の第１カバー１２に設けられたラッチバー保持部２２に保持されている。ラッチバー６４は、略上下方向（正確には、下方に向かって僅かに前方に傾斜する方向）に延びる第１腕部６６と、第１腕部６６の上部から後方に向かって延びる第２腕部６７と、を備えている。
【００４９】
第１腕部６６の上端部は、回動軸部６８を介して上側の台座１０に取り付けられている。これにより、ラッチバー６４は、第１の姿勢（図２の実線参照）と第２の姿勢（図２の二点鎖線参照）の間で回動軸部６８を支点に回動可能となっている。第１腕部６６の下端部は、グリップ１１の裏カバー４０の裏板部４４に設けられた上側突片４６に接続軸部７０を介して接続されている。
【００５０】
ねじりコイルバネ６５の一部は、回動軸部６８の外周に巻回されている。ねじりコイルバネ６５は、ラッチバー６４を第１の姿勢（図２の実線参照）に付勢している。
【００５１】
次に、通信ユニット８について説明する。通信ユニット８は、上記のカードリーダー７と、カードリーダー７に上端部が接続されるハーネス７２と、ハンドル５のグリップ１１の上下方向中央部に内装されるハーネスガイド７３と、ハンドル５のグリップ１１の上下方向中央部に内装され、ハーネスガイド７３の前方に配置されるアンテナ７４（他の通信機器）と、を備えている。
【００５２】
カードリーダー７は、上下方向に長い形状を成している。カードリーダー７は、ハンドル５のグリップ１１の収容空間４３の上端部に収容されている。カードリーダー７の下端部には、下端突部７５が設けられている。そして、この下端突部７５を表カバー４１の本体部５２に設けられた支持フック５５に係合させた状態で、カードリーダー７の上端部を表カバー４１の本体部５２の上端部に締結ネジ７６によって締結することで、カードリーダー７が表カバー４１に固定されている。カードリーダー７は、ハンドル５の外部のＩＣカード７７（通信媒体）との間で無線通信を行う機能を有している。
【００５３】
図１に示されるように、ハーネス７２は、ハンドル５のグリップ１１の収容空間４３内に上下方向に配索されている。ハーネス７２の裏側は裏カバー４０の裏板部４４によって覆われ、ハーネス７２の表側は表カバー４１の本体部５２によって覆われている。ハーネス７２の下端部は、裏カバー４０の裏板部４４のハーネス挿通穴５０に挿通され、扉２の内部（ハンドル５の外部）に引き回されている。ハーネス７２の下端部には、コネクター７８が固定されている。
【００５４】
図２に示されるように、ハーネスガイド７３は、表カバー４１のガイド固定部５６の第１嵌合部５７に嵌合している。ハーネスガイド７３は、ハーネス７２を支持している。
【００５５】
図２に示されるように、アンテナ７４は、ケーブル８０を介してカードリーダー７に接続されている。アンテナ７４は、ハンドル５の外部の携帯型キー（図示せず）との間で無線通信を行う機能を有している。アンテナ７４は、表カバー４１のガイド固定部５６の第２嵌合部５８に嵌合している。アンテナ７４は、表カバー４１の本体部５２の裏面とハーネスガイド７３に挟まれるように配置されている。
【００５６】
上記のように構成されたものにおいて、室外から扉２を開放するには、図１に矢印Ｘで示されるように、ハンドル５のグリップ１１を前側に牽引する。これに伴って、グリップ１１が揺動軸部４８を支点に前方に揺動し、グリップ１１に接続軸部７０を介して接続されたラッチバー６４が第１の姿勢（図２の実線参照）から第２の姿勢（図２の二点鎖線参照）に切り替わる。これに伴って、ラッチバー６４の第２腕部６７に接続されたラッチ機構（図示せず）が作動し、扉２を開放可能となる。
【００５７】
次に、上記のように構成されたものにおいて、第２カバー１３のストラップ取付部２９にストラップ１４を取り付ける方法について説明する。
【００５８】
まず、図６（ａ）に示されるように、ストラップ１４の第１挿入部３１をストラップ取付部２９の挿入穴３０に挿入する。この状態で、図６（ａ）に矢印Ｂで示されるように、挿入方向Ａの先端側に向かってストラップ１４の第１挿入部３１を引っ張る。これに伴って、図６（ｂ）に示されるように、挿入穴３０の周囲のストラップ取付部２９に対して拡幅部３６を摺動させながら第２挿入部３２が挿入穴３０の幅以下の幅まで弾性変形し、第２挿入部３２がストラップ取付部２９の挿入穴３０に挿入される。この状態から、図６（ｂ）に矢印Ｃで示されるように、挿入方向Ａの先端側に向かってストラップ１４の第１挿入部３１を更に引っ張ると、第２挿入部３２が挿入穴３０を通過し、図６（ｃ）に示されるように、ストラップ１４の第３挿入部３３が挿入穴３０に挿入される。これに伴って、ストラップ１４の第２挿入部３２が挿入穴３０の幅よりも大きな幅に弾性復帰し、第２挿入部３２の縮幅部３７によってストラップ取付部２９が係止される。これにより、第２カバー１３のストラップ取付部２９にストラップ１４が取り付けられる。
【００５９】
次に、第２カバー１３のストラップ取付部２９からストラップ１４を取り外す方法について説明する。
【００６０】
まず、図６（ｃ）に矢印Ｄで示されるように、ストラップ１４の第２挿入部３２を指などで押圧して挿入穴３０の幅以下の幅まで弾性変形させる。この状態で、図６（ｃ）に矢印Ｅで示されるように、挿入方向Ａの基端側に向かってストラップ１４の本体部３４を引っ張る。これに伴って、図６（ｂ）に示されるように、ストラップ１４の第２挿入部３２がストラップ取付部２９の挿入穴３０に挿入される。この状態から、図６（ｂ）に矢印Ｆで示されるように、挿入方向Ａの基端側に向かってストラップ１４の本体部３４を更に引っ張ると、ストラップ１４の第２挿入部３２及び第１挿入部３１が順次挿入穴３０を通過する。これにより、第２カバー１３のストラップ取付部２９からストラップ１４が取り外される。
【００６１】
以上のように、本実施形態では、ゴムなどの弾性材料によって形成されるストラップ１４の伸縮性を利用することで、第２カバー１３のストラップ取付部２９に対するストラップ１４の取り付け／取り外しを容易に行うことが可能となっている。
【００６２】
本実施形態では上記のように、ストラップ１４の第２挿入部３２を挿入穴３０の幅以下の幅まで弾性変形させて挿入穴３０を通過させることで、第２カバー１３に対してストラップ１４を容易に着脱することができる。そのため、必要に応じて第２カバー１３を第１カバー１２に対して容易に接続したり切り離したりすることが可能となる。
【００６３】
また、ストラップ１４の第１挿入部３１を挿入穴３０に挿入してストラップ１４の第１挿入部３１を引っ張るだけの簡単な作業によって、第２カバー１３に対してストラップ１４を容易に取り付けることが可能となっている。
【００６４】
また、第２挿入部３２には、貫通穴３５が厚み方向に設けられている。そのため、第２挿入部３２を弾性変形させやすくなり、第２カバー１３に対してストラップ１４を一層容易に着脱することが可能となる。
【００６５】
また、本実施形態のストラップ１４は、厚み方向に凹凸を有していない。そのため、ゴム成型のような大掛かりな成型方法ではなく、例えばトムソン型（ベース板に設けられた溝に刃を埋め込んだ型）を用いた平板打ち抜きのような簡易な成型方法によってストラップ１４を製造することが可能となる。
【００６６】
本実施形態では、シリンダー錠４の外周面の一部を第１カバー１２が覆う場合について説明したが、他の異なる実施形態では、シリンダー錠４などの錠前の外周面の全部を第１カバー１２が覆っていても良い。
【００６７】
本実施形態では、シリンダー錠４の表面の全部を第２カバー１３が覆う場合について説明したが、他の異なる実施形態では、シリンダー錠４などの錠前の表面の一部を第２カバー１３が覆っていても良い。
【００６８】
本実施形態では、ストラップ１４の第１挿入部３１及び第３挿入部３３が挿入穴３０の幅Ｗよりも小さい幅を有する場合について説明したが、他の異なる実施形態では、ストラップ１４の第１挿入部３１及び第３挿入部３３の一方又は両方が挿入穴３０の幅Ｗと同一の幅を有していても良い。
【００６９】
本実施形態では、第２カバー１３とストラップ１４の取り付けに本発明の構成を適用する場合について説明したが、他の異なる実施形態では、第１カバー１２とストラップ１４の取り付けに本発明の構成を適用しても良いし、第１カバー１２とストラップ１４の取り付け及び第２カバー１３とストラップ１４の取り付けの両方に本発明の構成を適用しても良い。
【００７０】
本実施形態では、ハンドル５の一部を構成する台座１０に本発明の構成を適用する場合について説明したが、他の異なる実施形態では、ハンドルとは独立して設けられた錠前カバーに本発明の構成を適用しても良い。
【００７１】
（第２の実施形態）
以下、主に図７〜図１０に基づいて、本発明の第２の実施形態に係るハンドル装置１について説明する。なお、ストラップ９０以外の構成については、第１の実施形態と同様であるため、説明を省略する。なお、図７〜図１０に付される矢印Ｇは、第２カバー１３のストラップ取付部２９に設けられた挿入穴３０へのストラップ９０の挿入方向を示している。以下、これを「挿入方向Ｇ」と称する。
【００７２】
ストラップ９０は、ナイロンなどの合成樹脂によって形成されている。ストラップ９０は、第１カバー１２のストラップ保持部１８（図２等参照）に保持されている。
【００７３】
図７（ａ）、図７（ｂ）及び図８に示されるように、ストラップ９０は、第１挿入部９１と、挿入方向Ｇにおいて第１挿入部９１の基端側に形成される第２挿入部９２と、挿入方向Ｇにおいて第２挿入部９２の基端側に形成される第３挿入部９３と、挿入方向Ｇにおいて第３挿入部９３の基端側に形成される係止部９４と、挿入方向Ｇにおいて係止部９４の基端側に形成される接続部９５と、挿入方向Ｇにおいて接続部９５の基端側に形成される本体部９６と、を備えている。
【００７４】
第１挿入部９１は、第２カバー１３のストラップ取付部２９に設けられた挿入穴３０の幅Ｗよりも小さな幅を有している。第１挿入部９１の幅方向外側の縁部には、第１拡幅部１０１が設けられている。第１拡幅部１０１は、挿入方向Ｇにおける基端側に向かって次第に拡幅している。第１拡幅部１０１は、直線状に形成されている。
【００７５】
第２挿入部９２は、挿入穴３０の幅Ｗよりも大きな幅を有している。第２挿入部９２の幅方向外側の縁部には、第２拡幅部１０２が設けられている。第２拡幅部１０２は、第１挿入部９１の第１拡幅部１０１と連続して設けられており、挿入方向Ｇにおける基端側に向かって次第に拡幅している。第２拡幅部１０２は、直線状に形成されている。
【００７６】
第２挿入部９２の幅方向外側の縁部には、挿入方向Ｇにおける第２拡幅部１０２の基端側に、定幅部１０３が設けられている。定幅部１０３は、挿入方向Ｇにおける基端側部分から先端側部分まで同一幅で形成されている。定幅部１０３は、第２挿入部９２の中で最大幅の部分である。
【００７７】
第２挿入部９２の幅方向外側の縁部には、挿入方向Ｇにおける定幅部１０３の基端側に、縮幅部１０４が設けられている。縮幅部１０４は、挿入方向Ｇにおける基端側に向かって次第に縮幅している。縮幅部１０４は、直線状に形成されている。
【００７８】
第２挿入部９２には、挿入方向Ｇにおける第２拡幅部１０２及び定幅部１０３の基端側且つ挿入方向Ｇにおける縮幅部１０４の先端側に、抜け止め部１０５が設けられている。抜け止め部１０５は、第２挿入部９２の幅方向（挿入方向Ｇと直交する方向）に沿って設けられている。抜け止め部１０５が定幅部１０３と縮幅部１０４の間に設けられることで、定幅部１０３と縮幅部１０４は段差状を成している。
【００７９】
第２挿入部９２には、貫通穴１０６が厚み方向に設けられている。貫通穴１０６の挿入方向Ｇにおける先端側部分１０６ａは、第２拡幅部１０２の形状に対応しており、挿入方向Ｇにおける基端側に向かって次第に拡幅している。貫通穴１０６の挿入方向Ｇにおける基端側部分１０６ｂは、縮幅部１０４の形状に対応しており、挿入方向Ｇにおける基端側に向かって次第に縮幅している。
【００８０】
第３挿入部９３は、挿入穴３０の幅Ｗよりも小さな幅を有している。第３挿入部９３は、挿入方向Ｇにおける基端側部分から先端側部分まで同一幅で形成されている。
【００８１】
係止部９４は、挿入穴３０の幅Ｗよりも大きな幅を有している。係止部９４の幅方向外側の縁部は、幅方向外側に向かって凸となるように円弧状に湾曲している。
【００８２】
接続部９５は、挿入穴３０の幅Ｗよりも小さな幅を有している。接続部９５は、挿入方向Ｇにおける基端側部分から先端側部分まで同一幅で形成されている。
【００８３】
本体部９６は、挿入穴３０の幅Ｗよりも大きな幅を有している。本体部９６は、接続部９５から挿入方向Ｇにおける基端側に向かって幅方向一側（図７（ａ）の図面上は左側）に傾斜しながら延びる一方腕部１０７と、接続部９５から挿入方向Ｇにおける基端側に向かって幅方向他側（図７（ａ）の図面上は右側）に傾斜しながら延びる他方腕部１０８と、本体部９６の幅方向に延びて挿入方向Ｇにおける一方腕部１０７の基端部と挿入方向Ｇにおける他方腕部１０８の基端部とを連結する連結部１０９と、を備えている。一方腕部１０７と他方腕部１０８の間には、開口部１１０が形成されている。連結部１０９の厚み及び幅は、ストラップ９０の連結部１０９以外の部分の厚み及び幅よりも大きい。連結部１０９の表面及び裏面の４隅には、凹部１１１が設けられている。連結部１０９の中央部には、取付穴１１２が設けられている。取付穴１１２には、第１カバー１２の係合部２０（図２等参照）が係合している。これにより、第１カバー１２にストラップ９０が取り付けられている。連結部１０９の幅方向両端部は、第１カバー１２のストラップ保持部１８の各当接壁部１９（図３（ｂ）参照）に当接している。
【００８４】
上記のように構成されたものにおいて、第２カバー１３のストラップ取付部２９にストラップ９０を取り付ける方法について説明する。
【００８５】
まず、図９（ａ）に示されるように、ストラップ９０の第１挿入部９１をストラップ取付部２９の挿入穴３０に挿入する。この状態で、図９（ａ）に矢印Ｈで示されるように第２挿入部９２の定幅部１０３を幅方向内側に向かって押しながら、図９（ａ）に矢印Ｉで示されるように挿入方向Ｇの先端側に向かって押し込む。これに伴って、図９（ｂ）に示されるように、ストラップ９０の第２挿入部９２が幅方向内側に向かって撓み、挿入穴３０の周囲のストラップ取付部２９に対して第２拡幅部１０２を摺動させながら挿入穴３０の幅以下の幅まで弾性変形し、挿入穴３０に挿入される。この状態から、図９（ｂ）に矢印Ｊで示されるように、挿入方向Ｇの先端側に向かってストラップ９０の第１挿入部９１を引っ張ると、第２挿入部９２が挿入穴３０を通過する。これに伴って、図９（ｃ）に示されるように、第２挿入部９２が挿入穴３０の幅よりも大きな幅に弾性復帰し、第２挿入部９２の抜け止め部１０５によってストラップ取付部２９が係止される。これにより、第２カバー１３のストラップ取付部２９にストラップ９０が取り付けられる。
【００８６】
次に、第２カバー１３のストラップ取付部２９からストラップ９０を取り外す方法について説明する。
【００８７】
まず、図９（ｃ）に矢印Ｋで示されるようにストラップ９０の第２挿入部９２の定幅部１０３を幅方向内側に向かって押して、挿入穴３０の幅以下の幅まで弾性変形させる。この状態で、図９（ｃ）に矢印Ｍで示されるように、挿入方向Ｇの基端側に向かってストラップ９０の第３挿入部９３を引っ張る。これに伴って、図９（ｂ）に示されるように、第２挿入部９２が挿入穴３０に挿入される。この状態から、図９（ｂ）に矢印Ｎで示されるように、挿入方向Ｇの基端側に向かって第３挿入部９３を更に引っ張ると、ストラップ９０の第２挿入部９２及び第１挿入部９１が順次挿入穴３０を通過する。これにより、第２カバー１３のストラップ取付部２９からストラップ９０が取り外される。
【００８８】
以上のように、本実施形態では、ナイロンなどの合成樹脂によって形成されるストラップ９０の反発力を利用して、第２カバー１３のストラップ取付部２９に対するストラップ９０の取り付け／取り外しを容易に行うことが可能となっている。
【００８９】
また、上記のようにストラップ９０が合成樹脂によって形成されることで、例えばストラップ９０がゴムによって形成される場合と比較して、ストラップ９０の剛性を高めることが可能となる。これに伴って、ストラップ９０の第２挿入部９２がストラップ取付部２９の挿入穴３０を不用意に通過するのを抑制することが可能となる。そのため、第２カバー１３に対するストラップ９０の取り付け／取り外しを作業者の意思に基づいて行うことが可能となる。
【００９０】
本実施形態では特に、ストラップ９０の第２挿入部９２の抜け止め部１０５が第２挿入部９２の幅方向（挿入方向Ｇに対して直交する方向）に沿って設けられている。そのため、ストラップ取付部２９の挿入穴３０を第２挿入部９２が不用意に通過するのを一層確実に抑制することが可能となる。
【００９１】
また、上記のようにストラップ９０が合成樹脂によって形成されることで、例えばストラップ９０がゴムによって形成される場合と比較して、ストラップ９０の強度を高めることが可能となる。これに伴って、ストラップ９０の経時的な劣化を抑制することが可能となる。
【００９２】
また、本実施形態では、ストラップ９０の本体部９６が一方腕部１０７と他方腕部１０８を有しており、一方腕部１０７と他方腕部１０８の間には開口部１１０が形成されている。このような構成を採用することで、本体部９６が撓みやすくなるため、本体部９６の連結部１０９の取付穴１１２と第１カバー１２の係合部２０の係合が不用意に解除されるのを抑制することが可能となる。
【００９３】
また、本実施形態では、本体部９６の連結部１０９の幅方向両端部が第１カバー１２の各当接壁部１９に当接している。そのため、本体部９６の連結部１０９の取付穴１１２と第１カバー１２の係合部２０の係合が不用意に解除されるのを一層効果的に抑制することが可能となる。
【００９４】
次に、ストラップ９０の有効長さ（第１カバー１２に取り付けられる部分から第２カバー１３に取り付けられる部分までの長さ）を調節する方法について、主に図１０を用いて説明する。
【００９５】
図１０（ａ）は、第２カバー１３のストラップ取付部２９がストラップ９０の係止部９４と当接している状態を示している。この状態におけるストラップ取付部２９の位置を「第１の位置」とし、この状態におけるストラップ９０の有効長さをＬ１とする。Ｌ１は、本実施形態における最短の有効長さである。
【００９６】
このようにストラップ取付部２９が係止部９４と当接している状態から挿入方向Ｇにおける先端側に向かってストラップ取付部２９がストラップ９０に対してスライドすると、図１０（ｂ）に示されるように、ストラップ取付部２９がストラップ９０の第２挿入部９２の抜け止め部１０５と当接する。この状態におけるストラップ取付部２９の位置を「第２の位置」とし、この状態におけるストラップ９０の有効長さをＬ２とする。Ｌ２は、本実施形態における最長の有効長さである。
【００９７】
このように、本実施形態においては、係止部９４と当接する第１の位置から抜け止め部１０５と当接する第２の位置までストラップ取付部２９がストラップ９０に対してスライド可能に設けられている。これに伴って、ストラップ９０の有効長さをＬ１とＬ２の差分Ｐだけ調節可能となっている。
【００９８】
例えば、第１カバー１２に第２カバー１３が取り付けられている状態では、図１０（ｃ）に示されるように、ストラップ取付部２９が第１の位置と第２の位置の間の第３の位置にある。この状態におけるストラップ９０の有効長さをＬ３とする。Ｌ３は、第１の実施形態におけるストラップ１４の有効長さＬ（図５（ａ）参照）と略同一である。Ｌ３は、Ｌ１よりも僅かに長く、Ｌ２よりも十分に短い。このようにストラップ９０の有効長さをＬ３とすることで、ストラップ保持部１８内にストラップ９０を容易に収容することが可能となる。換言すると、ストラップ保持部１８内におけるストラップ９０の収まりを良くすることが可能となる。
【００９９】
一方で、第１カバー１２から第２カバー１３が取り外されている状態では、ストラップ取付部２９が第３の位置（図１０（ｃ）参照）から第２の位置（図１０（ｂ）参照）までスライドし、ストラップ９０の有効長さがＬ３よりも長いＬ２となる。これに伴って、第１カバー１２と第２カバー１３を極力離間させることが可能となり、第２カバー１３に対するストラップ９０の取り付け／取り外しやシリンダー錠４を用いて行う扉２の施解錠を行いやすくなる。
【０１００】
また、前述の第１の実施形態では、ストラップ１４の第１挿入部３１をストラップ取付部２９の挿入穴３０に挿入した状態で、挿入方向Ａの先端側に向かって第１挿入部３１を引っ張ることで、ストラップ１４の第２挿入部３２を挿入穴３０の幅以下の幅まで弾性変形させている。このようなストラップ１４の取付方法を採用する場合には、ストラップ取付部２９の挿入穴３０に第１挿入部３１を挿入した状態で、少なくとも作業者が手でつまめる程度の長さ分、挿入方向Ａにおける第１挿入部３１の先端側部分が挿入穴３０から突出している必要がある（図６（ａ）参照）。
【０１０１】
これに対して、本実施形態では、ストラップ９０の第１挿入部９１をストラップ取付部２９の挿入穴３０に挿入した状態で、ストラップ９０の第２挿入部９２を幅方向内側に向かって押しながら挿入方向Ｇの先端側に向かって押し込むことで、第２挿入部９２を挿入穴３０の幅以下の幅まで弾性変形させている。このようなストラップ９０の取付方法を採用する場合には、ストラップ取付部２９の挿入穴３０に第１挿入部９１を挿入した状態で、作業者が手でつまめる程度の長さ分、挿入方向Ｇにおける第１挿入部９１の先端側部分が挿入穴３０から突出している必要が無い（図９（ａ）参照）。そのため、第１の実施形態と比較して第１挿入部９１の長さを短くすることが可能となり、その分ストラップ９０の有効長さ（第１カバー１２に取り付けられる部分から第２カバー１３に取り付けられる部分までの長さ）を長くすることが可能となる。これに伴って、第２カバー１３に対するストラップ９０の取り付け／取り外しやシリンダー錠４を用いて行う扉２の施解錠を一層行いやすくなる。
【０１０２】
本実施形態では、ストラップ９０を形成する合成樹脂の一例としてナイロンを挙げたが、他の異なる実施形態では、ナイロン以外の任意の合成樹脂によってストラップ９０を形成しても良い。
【０１０３】
本実施形態では、ストラップ９０の第２挿入部９２の抜け止め部１０５が第２挿入部９２の幅方向（挿入方向Ｇに対して直交する方向）に沿って設けられている場合について説明したが、抜け止め部１０５は挿入方向Ｇに対して交差する方向に設けられていれば良く、必ずしも挿入方向Ｇに対して直交する方向に設けられていなくても良い。
【符号の説明】
【０１０４】
４  シリンダー錠（錠前）
１０  台座（錠前カバー）
１２  第１カバー
１３  第２カバー
１４  ストラップ
２９  ストラップ取付部
３０  挿入穴
３１  第１挿入部
３２  第２挿入部
３３  第３挿入部
３５  貫通穴
３６  拡幅部
９０  ストラップ
９１  第１挿入部
９２  第２挿入部
９３  第３挿入部
９４  係止部
１０２  第２拡幅部
１０５  抜け止め部
【図１】
2015078592.tif 000003
【図２】
2015078592.tif 000004
【図３】
2015078592.tif 000005
【図４】
2015078592.tif 000006
【図５】
2015078592.tif 000007
【図６】
2015078592.tif 000008
【図７】
2015078592.tif 000009
【図８】
2015078592.tif 000010
【図９】
2015078592.tif 000011
【図１０】
2015078592.tif 000012